(57)【要約】【課題】紙おむつの工場から不良品として多量に排出される紙おむつの再利用、省資源に有効であり、これら廃物利用により大幅なコストダウンを達成し、加えて、上記紙おむつの組成物を水のうにおける充填材の機能向上に資する。【解決手段】表地に不織布、裏地に合成樹脂フィルム、中間層に吸水性ポリマーを混在せる綿状パルプを有する紙おむつを原料とし、該紙おむつの粉砕物を粉砕状態のまま透水性袋内に充填した水のうを提供する。  換言すると、透水性袋６内に充填される充填材として、紙おむつの組成物である吸水性ポリマー３と綿状パルプ４を含有すると共に、同紙おむつの表地を形成する不織布１の粉砕繊維１′と、同紙おむつの裏地を形成する合成樹脂フィルム２の粉砕フィルム片２′を含有する水のうを提供する。【選択図】        図２
2007162260.tif 000002
【特許請求の範囲】
【請求項１】
表地に不織布、裏地に合成樹脂フィルム、中間層に吸水性ポリマーを保持せる綿状パルプを有する紙おむつを原料とし、該紙おむつの粉砕物を透水性袋内に充填したことを特徴とする水のう。
【請求項２】
紙おむつの吸水材である吸水性ポリマー及び綿状パルプと、同紙おむつの表地を形成する不織布の粉砕繊維と、同紙おむつの裏地を形成する合成樹脂フィルムの粉砕フィルム片を透水性袋内に充填したことを特徴とする水のう。
【請求項３】
無機充填材を充填したことを特徴とする請求項１又は２記載の水のう。
【発明の詳細な説明】
【技術分野】
【０００１】
本発明は水害時等における溢流水を一時的に遮断する土嚢、或いは漏水や溢流水を吸収し回収する吸水袋として用いられる水のうに関する。
【背景技術】
【０００２】
特許文献１は従来の砂を透水性袋内に充填した土嚢の代替物として、吸水性ポリマーと繊維質物との混合材を加圧成形して粒体にし、該粒体を通水性袋内に充填した土嚢を提供している。
【特許文献１】特公平４−２３９２６号公報
【発明の開示】
【発明が解決しようとする課題】
【０００３】
然るに土嚢における充填物として吸水性ポリマー、パルプ等の繊維質物を用いた土嚢は砂に比べ著しくコスト高となり、大量に且つ緊急避難的に用いられ使い捨てされる水のうとしては割高となるために、現時点では砂に代わる土嚢としての市場性を得ていない。
【０００４】
然しながら上記吸水性ポリマーとパルプの繊維質物を充填物として用いた土嚢は、繊維質物による吸水性と吸水性ポリマーによる保水性と膨潤性を発揮し、土嚢の機能材として有用である。
【０００５】
又既知の砂充填土嚢は、砂を調達して袋に充填し水のうを形成するには多数の人手と労力と時間を要し、緊急調達が困難であるが、上記吸水性ポリマーとパルプの繊維質物を充填物として用いた土嚢は、斯かる応急処理的に対処する土嚢として有効である。
【０００６】
反面、上記吸水性ポリマーと繊維質物との混合材を加圧成形して粒体にしたものを充填物として用いた場合、個々の粒体が加圧成形によって初期吸水スピードを大幅に減殺し、従って初期膨潤スピードが損なわれ、土嚢としての遮水性能を低下する問題を有している。
【０００７】
又上記先行文献は吸水性ポリマーと繊維質物の混合物による吸水性と保水性と膨潤性によって遮水を図らんとするものであるが、吸水量と保水量には限界を有し、水遮断効果に限界を有している。
【課題を解決するための手段】
【０００８】
本発明は表地に不織布、裏地に合成樹脂フィルム、中間層に吸水性ポリマーを混在せる綿状パルプを有する紙おむつを原料とし、該紙おむつの粉砕物を粉砕状態のまま透水性袋内に充填した水のうを提供する。
【０００９】
換言すると、透水性袋内に充填される充填材として、紙おむつの組成物である吸水性ポリマーと綿状パルプを含有すると共に、同紙おむつの表地を形成する不織布の粉砕繊維と、同紙おむつの裏地を形成する合成樹脂フィルムの粉砕フィルム片を含有する水のうを提供する。
【００１０】
上記紙おむつに由来する充填材に加え、炭酸カルシウムに代表される無機充填材を充填することができる。
【発明の効果】
【００１１】
前記のように、紙おむつの組成物である不織布と綿状パルプは粉砕状態のまま透水性袋内に充填することによって初期吸水スピードを向上し、併せて該吸水に連動する上記吸水性ポリマーによる初期膨潤スピードを大幅に向上する。
【００１２】
更には上記紙おむつの組成物である合成樹脂フィルムの粉砕フィルム片が水のう中に均一に混在し、該合成樹脂フィルムの粉砕フィルム片は水分を吸水して膨潤した透水性袋の内面に密着して遮水機能を発揮する。
【００１３】
本発明は紙おむつの工場から不良品として多量に排出される紙おむつの再利用対策、省資源対策として極めて有効であり、これら廃物利用により大幅なコストダウンを達成できる。加えて、紙おむつの組成物は水のうにおける充填材として、その機能向上に資するものである。
【００１４】
又粉砕物に無機充填材を混合することにより、軽比重であるために水に浮動してしまう欠点を解消し、又無機充填材自体を遮水材として機能させることができる。
【発明を実施するための最良の形態】
【００１５】
以下本発明を実施するための最良の形態を図１乃至図４に基づいて説明する。
図１に示すように、紙おむつは肌に接する表地としてポリエステルやポリプロピレン等から成る不織布１が用いられ、同裏地として合成樹脂フィルム２、中間層に吸水性ポリマー（高分子吸水材）３を保持せる綿状パルプ４を有する。
【００１６】
上記紙おむつは、ポリエステルやポリプロピレン等から成る不織布１で尿を素早く吸水性ポリマー３を保有する綿状パルプ４内へ送り込み、吸水性ポリマー３で尿を吸収し膨潤することによって多量の尿を保水し、合成樹脂フィルム２で保水した尿の外部への浸出を防止する構造を有している。
【００１７】
上記表地に不織布１、裏地に合成樹脂フィルム２、中間層に吸水性ポリマー３を混在せる綿状パルプ４を有する紙おむつを原料とし、該紙おむつの粉砕物５を透水性袋６内に充填して水のう７を構成する。
【００１８】
換言すると、紙おむつを原資とする吸水性ポリマー３と綿状パルプ４を含有すると共に、同紙おむつの表地を形成する不織布１を粉砕して成る不織布片１′と、同紙おむつの裏地を形成する合成樹脂フィルム２を粉砕して成るフィルム片２′を透水性袋６内に充填して成る水のう７を提供する。
【００１９】
図３Ａに示すように、上記吸水性ポリマー３は粉砕後においても粉体であり、又図３Ｂに示すように、綿状パルプ４は粉砕によって小塊に分砕された綿状パルプ塊４′となり、繊維内に吸水性ポリマー３を保有する。
【００２０】
又図３Ｃに示すように、表地を形成する不織布１は粉砕によって分砕された不織布片１′である。
【００２１】
又図３Ｄに示すように、裏地を形成する合成樹脂フィルム２は粉砕によって５ｍｍ〜３０ｍｍ程度の大きさを有するフィルム片２′にする。
【００２２】
上記粉砕機としては、回転刃を回転させて紙おむつを細断する回転刃式の粉砕機、或いはシュレッダー等を用いる。
【００２３】
前記のように、紙おむつの組成物である不織布１と綿状パルプ４は粉砕状態のまま透水性袋６内に充填することによって初期吸水スピードを向上し、併せて該吸水に連動する上記吸水性ポリマー３による初期膨潤スピードを大幅に向上する。
【００２４】
更には図４に示すように、上記紙おむつの組成物である合成樹脂フィルム２のフィルム片２′が水のう７中に均一に混在しつつ、該合成樹脂フィルム２のフィルム片２′は吸水性ポリマー３の膨潤に伴って膨潤した透水性袋６の内面に密着して、透水性袋６を通しての通水を阻止する遮水機能を発揮する。
【００２５】
本発明に用いる紙おむつは、紙おむつ製造工場から不良品として多量に排出されるものを水のう充填材の原資として用いるものであり、紙おむつの再利用、省資源に寄与し、コストダウンを達成することができる。
【００２６】
加えて紙おむつの組成物は上記の通り、水のうにおける充填材としてその機能向上に資することができる。
【００２７】
上記紙おむつに由来する粉砕物５と共に、炭酸カルシウム、クレー、タルク、重曹石等の無機充填材８（粉末）、特に安価で入手性の容易な炭酸カルシウムを充填する。
【００２８】
粉砕物に無機充填材８を混合することにより、軽比重であるために水に浮動してしまう欠点を解消し、又無機充填材８自体を遮水材として機能させることができる。
【００２９】
他例として、上記無機充填材８を充填せずに、又は充填しつつ、砂利又は／及び砂を上記紙おむつに由来する粉砕物５と一緒に充填することができる。
【００３０】
上記水のう７には、上記以外の充填物を充填することを妨げない。
【００３１】
上記水のう７は水害時等における溢流水を一時的に遮断する土嚢を構成する。又は漏水や溢流水を吸収し回収する吸水袋を構成する。
【図面の簡単な説明】
【００３２】
【図１】紙おむつの概略構造を示す断面図。
【図２】該紙おむつを充填材の原資として用いた水のうの概略構造を示す断面図。
【図３】Ａ，Ｂ，Ｃ，Ｄは紙おむつの各粉砕物を概示する図。
【図４】上記水のうの膨潤状態における粉砕フィルム片の遮水状態を概示する断面図。
【符号の説明】
【００３３】
１…不織布、１′…不織布片、２…合成樹脂フィルム、２′…フィルム片、３…吸水性ポリマー、４…綿状パルプ、４′…綿状パルプ塊、５…粉砕物、６…透水性袋、７…水のう、８…無機充填材。
【図１】
2007162260.tif 000003
【図２】
2007162260.tif 000004
【図３】
2007162260.tif 000005
【図４】
2007162260.tif 000006